(57)【特許請求の範囲】
【請求項１】
プロジェクターであって、
画像を形成して投射する画像投射装置と、
前記画像投射装置を支持する支持部材と、
当該プロジェクターが載置される載置面に対向する底面部、及び、前記底面部とは反対側に位置する天面部を有し、外装を構成して、前記画像投射装置及び前記支持部材を収納する外装筐体と、
前記支持部材に設けられ、前記外装筐体の外部に露出して、前記支持部材を支える脚部及びハンドルの少なくとも一方と、を備え、
前記支持部材は、前記底面部から前記天面部に向かう第１方向と、前記画像投射装置における画像の投射方向とに沿う面を有する板状の形状であって、前記第１方向に直交し前記投射方向に直交する第２方向に並んで配置され、前記画像投射装置を挟む第１支持部材及び第２支持部材を有し、
前記外装筐体は、
前記底面部側に位置する底面部側筐体と、
前記天面部側に位置する天面部側筐体と、を有し、
前記底面部側筐体は、前記第１支持部材及び前記第２支持部材の前記底面部側の部位に固定され、
前記天面部側筐体は、前記第１支持部材及び前記第２支持部材の前記天面部側の部位に固定されることを特徴とするプロジェクター。
【発明の詳細な説明】
【技術分野】
【０００１】
本発明は、プロジェクターに関する。
【背景技術】
【０００２】
従来、光源から出射された光を変調して画像情報に応じた画像を形成し、当該画像をスクリーン等の被投射面上に投射するプロジェクターが知られている。このようなプロジェクターとして、上記画像を形成する構成が金属製のベース上に配置された構成を有するプロジェクターが知られている（例えば、特許文献１参照）。
【０００３】
この特許文献１に記載のプロジェクターは、ランプユニット、導光ユニット、本体ユニット、プリズムユニット、投射レンズユニット及びレンズマウントを有する光学ユニットと、当該光学ユニットが組み付けられる土台となるベースと、当該ベースが固定されるケースと、を備える。
これらのうち、ランプユニットは、光源であるランプ及びリフレクターを有し、導光ユニットは、ランプユニットから入射される照明光を均一化する。本体ユニットは、導光ユニットから入射される照明光をＳ偏光に変換し、複数のダイクロイックミラーによって、赤、緑及び青の３色の光に分離する。プリズムユニットは、３色に分離された照明光に画像情報を付与する液晶パネルと、３色の光を１つの画像光として出射する複数個のプリズムと、を有する。これらランプユニット、導光ユニット、本体ユニット及びプリズムユニットは、ねじにより上記ベースに取り付けられる。
また、投射レンズユニットは、画像光を拡大投影するものであり、レンズマウントを介してベースに取り付けられる。
このように光学ユニットが取り付けられるベースが金属製のベースであることから、歪みの発生が抑制され、光学ユニットの光学性能の劣化が抑制される。
【先行技術文献】
【特許文献】
【０００４】
【特許文献１】特開２００８−１７６０９７号公報
【発明の概要】
【発明が解決しようとする課題】
【０００５】
しかしながら、上記特許文献１に記載されるプロジェクターでは、外装を構成するケースが、光学ユニット及びベースを支持している。このことから、当該ケースは、光学ユニットの重量が加算されるベースの重量により撓むおそれがあり、当該撓みの発生を抑制可能な剛性を有する必要がある。このため、当該剛性を確保するために、ケースの厚さ寸法を大きくすると、当該ケースの重量が増大し、プロジェクターの重量が増大するという問題がある。
特に、載置面に接する脚部が上記ケースの底面に設けられていたり、運搬時や天井への設置時に把持されるハンドル（アーム）が上記ケースの天面に設けられていたりすると、プロジェクターの設置時に、当該ケースにおける脚部やハンドルの設置位置に応力が集中する。このため、これら設置位置の強度を確保するために、更にケースの剛性を確保する必要が生じ、プロジェクターの重量が増大しやすいという問題がある。
【０００６】
本発明は、上記課題の少なくとも一部を解決することを目的としたものであり、軽量化できるプロジェクターを提供することを目的の１つとする。
【課題を解決するための手段】
【０００７】
本発明の一態様に係るプロジェクターは、プロジェクターであって、画像を形成して投射する画像投射装置と、前記画像投射装置を支持する支持部材と、当該プロジェクターが載置される載置面に対向する底面部、及び、前記底面部とは反対側に位置する天面部を有し、外装を構成して、前記画像投射装置及び前記支持部材を収納する外装筐体と、前記支持部材に設けられ、前記外装筐体の外部に露出して、前記支持部材を支える脚部及びハンドルの少なくとも一方と、を備え、前記支持部材は、前記底面部から前記天面部に向かう第１方向と、前記画像投射装置における画像の投射方向とに沿う面を有する板状の形状であって、前記第１方向に直交し前記投射方向に直交する第２方向に並んで配置され、前記画像投射装置を挟む第１支持部材及び第２支持部材を有し、前記外装筐体は、前記底面部側に位置する底面部側筐体と、前記天面部側に位置する天面部側筐体と、を有し、前記底面部側筐体は、前記第１支持部材及び前記第２支持部材の前記底面部側の部位に固定され、前記天面部側筐体は、前記第１支持部材及び前記第２支持部材の前記天面部側の部位に固定されることを特徴とする。
【０００８】
上記一態様によれば、外装筐体は、画像投射装置や支持部材を支持しないことから、これら画像投射装置や支持部材の重量は、外装筐体に加わらず、当該支持部材に設けられる脚部及びハンドルのいずれかに加わることとなる。これによれば、外装筐体の耐荷重性を向上させるために、外装筐体の剛性を増大させる必要がなく、当該剛性の増大に応じた外装筐体の重量の増大を抑制できる。従って、外装筐体の軽量化、ひいては、プロジェクターの軽量化を図ることができる。
【０００９】
上記一態様では、前記外装筐体は、当該プロジェクターが載置面に載置される際に前記載置面に対向する底面部、及び、前記底面部とは反対側に位置する天面部を有し、前記支持部材は、前記底面部から前記天面部に向かう第１方向と、前記画像投射装置における画像の投射方向とに沿う面を有する板状の形状であって、前記第１方向に直交し前記投射方向に直交する第２方向に並んで配置され、前記画像投射装置を挟む第１支持部材及び第２支持部材を有する。
【００１０】
ここで、上記特許文献１に記載のベースのように、支持部材が、平板状に形成されて、外装筐体における天面部側の位置に配置されている場合には、上記載置面と支持部材との間の寸法が大きくなることから、外装筐体外に露出する脚部を当該支持部材に設けることが困難となる。一方、平板状に形成された支持部材が、外装筐体における底面部側の位置に配置されている場合にも、天面部側に露出するようにハンドルを設けようとすると、当該ハンドルの露出位置と支持部材との間の寸法が大きくなることから、当該ハンドルを支持部材に設けることが困難となる。
これに対し、上記一態様によれば、上記第２方向に画像投射装置を挟む第１支持部材及び第２支持部材は、上記第１方向と上記投射方向とに沿う面を有する板状の形状を有する。これによれば、第１支持部材及び第２支持部材において底面部に近い部位に、プロジェクターが載置される載置面に接する脚部を配置しやすくすることができる。また、当該第１支持部材及び第２支持部材において天面部に近い部位に、プロジェクターを吊り上げる部材や使用者によって把持されるハンドルを配置しやすくすることができる。更に、外装筐体内の脚部及びハンドルの寸法を短くすることができるので、これらが長くなる場合に比べて変形の発生を抑制できる。
【００１１】
上記一態様では、前記外装筐体は、前記底面部側に位置する底面部側筐体と、前記天面部側に位置する天面部側筐体と、を有し、前記底面部側筐体は、前記第１支持部材及び前記第２支持部材の前記底面部側の部位に固定され、前記天面部側筐体は、前記第１支持部材及び前記第２支持部材の前記天面部側の部位に固定される。
上記一態様によれば、外装筐体を構成する底面部側筐体と天面部側筐体とは、それぞれ第１支持部材及び第２支持部材に固定される。これによれば、底面部側筐体及び天面部側筐体のそれぞれに、第１支持部材及び第２支持部材の重量が加わることを確実に抑制できる。従って、底面部側筐体及び天面部側筐体の軽量化、ひいては、プロジェクターの軽量化を促進できる。
【図面の簡単な説明】
【００１２】
【図１】本発明の第１実施形態に係るプロジェクターの外観を示す斜視図。
【図２】上記第１実施形態におけるプロジェクターの内部を天面側から見た模式図。
【図３】上記第１実施形態におけるプロジェクターの内部を側方から見た模式図。
【図４】本発明の第２実施形態に係るプロジェクターの内部構成を模式的に示す図。
【発明を実施するための形態】
【００１３】
［第１実施形態］
以下、本発明の第１実施形態について、図面に基づいて説明する。
［プロジェクターの概略構成］
図１は、本実施形態に係るプロジェクター１の外観を示す斜視図である。
本実施形態に係るプロジェクター１は、内部に設けられた光源装置３１から出射された光を変調して画像情報に応じた画像を形成し、当該画像をスクリーン等の被投射面上（図示省略）に拡大投射する画像表示装置である。このプロジェクター１は、図１に示すように、当該プロジェクター１の外装を構成し、後述する装置本体を収納する平面視略矩形状の外装筐体２を備える。
【００１４】
［外装筐体の構成］
外装筐体２は、金属又は合成樹脂製の筐体である。この外装筐体２は、天面部２Ａと、正面部２Ｃ、背面部２Ｄ及び左右の側面部２Ｅ，２Ｆのそれぞれの天面部２Ａ側の一部とを構成する天面部側筐体としての上部筐体２１と、上記天面部２Ａに対向する底面部２Ｂと、正面部２Ｃ、背面部２Ｄ及び左右の側面部２Ｅ，２Ｆのそれぞれの底面部２Ｂ側の一部とを構成する底面部側筐体としての下部筐体２２と、が組み合わされて構成されている。
これらのうち、正面部２Ｃには、後述する光学ユニット３の投射光学装置３５の一部が露出され、当該投射光学装置３５から投射される画像が通過する開口部２Ｃ１が形成されている。
【００１５】
天面部２Ａは、天井や壁面に取付られたアーム等の取付部材（図示省略）によってプロジェクター１が吊り下げられる天吊り姿勢にて当該天井に対向する面である。この天面部２Ａ側には、後述する支持部材４に取り付けられ、当該取付部材に取り付けられる他、使用者によって把持される一対のハンドルＨＮが露出している。
また、天面部２Ａには、各ハンドルＨＮに応じた位置に形成され、当該各ハンドルＨＮに手等を掛けやすくするための凹部２Ａ１が形成されている。
底面部２Ｂは、設置台等の載置面上にプロジェクター１が載置される正置き姿勢にて当該載置面に対向する面である。この底面部２Ｂ側には、後述する支持部材４に取り付けられ、当該載置面に当接される脚部ＦＴ（図３参照）が露出している。
【００１６】
［装置本体の構成］
図２及び図３は、プロジェクター１の内部構成を天面部側及び側面部側からそれぞれ見た模式図である。
装置本体は、図２及び図３に示すように、光学ユニット３、支持部材４、制御装置（図示省略）、電源装置５及び冷却装置６を備える。
これらのうち、制御装置は、プロジェクター１を制御する制御回路等が実装された基板により構成されている。電源装置５は、詳しい図示を省略するが、入力される商用交流電流を直流変換し、更に変圧した電流をプロジェクター１の電子部品に供給する。また、冷却装置６は、外装筐体２の外部から導入した空気を送風するファン等を備え、プロジェクター１を構成する冷却対象を冷却する。
【００１７】
なお、以下の説明において、光学ユニット３（投射光学装置３５）による画像の投射方向をＺ方向とし、それぞれＺ方向と直交し、かつ、互いに直交する方向をＸ方向及びＹ方向とする。本実施形態では、Ｙ方向を、底面部２Ｂから天面部２Ａに向かう方向とし、Ｘ方向を、右側面部２Ｅから左側面部２Ｆに向かう方向とする。
【００１８】
［光学ユニットの構成］
光学ユニット３は、本発明の画像投射装置に相当し、上記制御装置（図示省略）による制御の下、画像情報に応じた画像を形成して投射する。
この光学ユニット３は、図２に示すように、光源装置３１と、照明光学装置３２と、色分離光学装置３３と、電気光学装置３４と、投射光学装置３５と、光学部品用筐体３６と、を備える。
これらのうち、光学部品用筐体３６は、光源装置３１及び各光学装置３２〜３４を内部に収納する筐体である。
【００１９】
光源装置３１は、照明光学装置３２に光を出射する。この光源装置３１は、互いに対向する一対の光源部３１Ａ，３１Ｂと、当該一対の光源部３１Ａ，３１Ｂのそれぞれから出射された光を照明光学装置３２に導く反射ミラー３１Ｃと、を有する。
一対の光源部３１Ａ，３１Ｂは、それぞれ、超高圧水銀ランプ等の光源ランプ３１１、リフレクター３１２及び平行化レンズ３１３と、これらを内部に収納するハウジング３１４と、を備える。しかしながら、このような構成に限らず、光源ランプに代えて、ＬＥＤ（Light Emitting Diode）やＬＤ（Laser Diode）等の固体光源を採用してもよい。
反射ミラー３１Ｃは、上記一対の光源部３１Ａ，３１Ｂの間に配置され、これら光源部から入射される光をそれぞれ同方向に反射させる。これにより、各光源部３１Ａ，３１Ｂから出射された光は、照明光学装置３２に入射される。
【００２０】
照明光学装置３２は、反射ミラー３１Ｃにて反射されて入射される光束の中心軸に対する直交面内の照度を均一化する。この光学装置３２は、レンズアレイ３２１，３２２、偏光変換素子３２３及び重畳レンズ３２４を有する。
【００２１】
色分離光学装置３３は、照明光学装置３２から入射される光束を、赤、緑及び青の３つの色光に分離する。この色分離光学装置３３は、ダイクロイックミラー３３１，３３２と、反射ミラー３３３〜３３６と、集光レンズ３３７（３３７Ｒ，３３７Ｇ，３３７Ｂ）と、を有する。
ダイクロイックミラー３３１，３３２は、それぞれ入射される光束の中心軸に対してそれぞれ略４５°の角度で傾斜し、かつ、互いに直交するように配置されている。これらのうち、ダイクロイックミラー３３１は、青色光を反射させ、それ以外の色光を透過させる。また、ダイクロイックミラー３３２は、赤色光を反射させ、それ以外の色光を透過させる。このようなダイクロイックミラー３３１，３３２により、青色光及び赤色光は、互いに反対方向に反射されて９０°屈曲され、緑色光は、これらミラー３３１，３３２を透過する。
反射ミラー３３３，３３４は、青色光の光路上に配置され、当該青色光を、後述する電気光学装置３４の青色光用の光変調装置３４１（３４１Ｂ）に導く。また、反射ミラー３３５，３３６は、赤色光の光路上に配置され、当該赤色光を、当該電気光学装置３４の赤色光用の光変調装置３４１（３４１Ｒ）に導く。
集光レンズ３３７は、それぞれ分離された各色光の光路上に配置され、各色光を平行化して、各光変調装置３４１に入射させる。
【００２２】
電気光学装置３４は、分離された各色光を変調し、変調された各色光を合成して画像光を形成する。この電気光学装置３４は、３つの光変調装置３４１（赤、緑及び青用の光変調装置を、それぞれ３４１Ｒ，３４１Ｇ，３４１Ｂとする）と、１つの色合成装置３４２と、を有する。
光変調装置３４１は、入射される光（色光）を変調して、上記制御装置から入力される画像情報に応じた画像を形成する。この光変調装置３４１は、本実施形態では、図示を省略するが、液晶パネルと、当該液晶パネルの光入射側及び光出射側に配置される一対の偏光板とを備える。
色合成装置３４２は、各光変調装置３４１に対向する３つの光入射面と、これら光入射面を介して入射された色光を合成して出射する１つの出射面と、を有し、合成された色光を投射光学装置３５に出射する。このような色合成装置３４２として、本実施形態では、クロスダイクロイックプリズムが採用されている。
【００２３】
投射光学装置３５は、色合成装置３４２にて合成された画像を上記被投射面に投射する。この投射光学装置３５は、フォーカスレンズ及びズームレンズ等を含む複数のレンズ（図示省略）と、当該複数のレンズを内部に収納する鏡筒３５１と、当該鏡筒３５１を支持するフランジ部３５２と、を備える。
【００２４】
上述のように構成された光学ユニット３では、一対の光源部３１Ａ，３１Ｂから射出された光束は、反射ミラー３１Ｃにより、光学部品用筐体３６内部に設定された照明光軸Ａｘ（図１参照）に沿って反射され、照明光学装置３２に照射される。照明光学装置３２に照射された光束は、照明光学装置３２にて面内照度が均一化されるとともに、色分離光学装置３３にてＲ，Ｇ，Ｂの３つの色光に分離される。分離された各色光は、各光変調装置３４１にて画像情報に応じてそれぞれ変調され、色光毎の画像が形成される。色光毎の画像は、色合成装置３４２にて合成され、投射光学装置３５にてスクリーン（図示省略）に投射される。
【００２５】
［支持部材の構成］
支持部材４は、光学ユニット３を支持する他、外装筐体２を当該外装筐体２の内側にて支持し、ひいてはプロジェクター１の全体を支持する。
この支持部材４は、一対の支持部材である第１支持部材４１及び第２支持部材４２を備える。これら第１支持部材４１及び第２支持部材４２は、それぞれ、光学ユニット３のＸ方向（第２方向）に沿って当該光学ユニット３を挟持する。具体的に、第１支持部材４１は、光学ユニット３に対してＸ方向側に位置し、第２支持部材４２は、Ｘ方向とは反対側に位置している。
【００２６】
［第１支持部材の構成］
第１支持部材４１は、図２に示すように、本体部４１１と、第１延出部４１２と、第２延出部４１３と、を有する。
本体部４１１は、光学ユニット３の光学部品用筐体３６における、Ｘ方向側の面と、Ｚ方向側の面の一部（すなわち、フランジ部３５２よりもＸ方向側に位置する領域）と、に沿う外形を有し、Ｙ方向（第１方向）及びＺ方向（投射方向）に沿う面を有する板状の部材である。この本体部４１１には、図示を省略するが、ねじ留め等により、光学部品用筐体３６及びフランジ部３５２が取り付けられる。
ここで言う板状は、例えば、本体部４１１が、外装筐体２や光学ユニット３を支持可能な剛性を示す程度の厚みを有する形状であることを意味する。
【００２７】
第１延出部４１２は、本体部４１１のＺ方向側の端部から、Ｘ方向に延出する。この第１延出部４１２のＸ方向側の端面は、外装筐体２の左側面部２Ｆの近傍に位置する。
第２延出部４１３は、本体部４１１のＺ方向とは反対側の端部から、Ｘ方向に延出する。この第２延出部４１３のＸ方向側の端面は、外装筐体２の左側面部２Ｆの近傍に位置する。
【００２８】
このような第１支持部材４１におけるＹ方向側の面４１Ａ（上面４１Ａ）には、上部筐体２１がねじＳＣ１によって固定される固定部Ｐ１と、ハンドルＨＮが取り付けられる取付部Ｍ１１，Ｍ１２と、が設けられている（図２及び図３参照）。
また、第１支持部材４１におけるＹ方向とは反対側の面４１Ｂ（下面４１Ｂ）には、下部筐体２２がねじＳＣ２によって固定される固定部Ｐ２と、脚部ＦＴが取り付けられる取付部Ｍ２１，Ｍ２２と、が設けられている（図２及び図３参照）。なお、取付部Ｍ２１は、上面４１Ａにおける、第１延出部４１２のＸ方向側の端部に対応する位置に設けられている。また、取付部Ｍ２２は、上面４１Ａにおける、第２延出部４１３のＸ方向側の端部に対応する位置に、それぞれ設けられている。
このような第１支持部材４１は、外装筐体２や光学ユニット３の重量による撓みを抑制可能な剛性を有する。
【００２９】
［第２支持部材の構成］
第２支持部材４２は、図２に示すように、第１支持部材４１と略鏡面対称に構成されており、当該第１支持部材４１と同様に、本体部４２１と、第１延出部４２２と、第２延出部４２３と、を有する。
本体部４２１は、光学部品用筐体３６における、Ｘ方向とは反対側の面と、Ｚ方向側の面の一部（フランジ部３５２よりもＸ方向とは反対側に位置する領域）と、に沿う外形を有し、かつ、Ｙ方向及びＺ方向に沿う面を有し、光学部品用筐体３６及びフランジ部３５２が取り付けられる。
第１延出部４２２及び第２延出部４２３は、それぞれ、本体部４２１のＺ方向側の端部と、Ｚ方向とは反対側の端部と、からＸ方向とは反対方向に延出する。
【００３０】
このような第２支持部材４２におけるＹ方向側の面４２Ａ（上面４２Ａ）には、上部筐体２１がねじＳＣ１によって固定される固定部Ｐ１と、ハンドルＨＮが取り付けられる取付部Ｍ１３，Ｍ１４と、が設けられている（図２参照）。
また、第２支持部材４２におけるＹ方向とは反対側の面４２Ｂ（下面４２Ｂ）には、下部筐体２２がねじＳＣ２によって固定される固定部Ｐ２と、脚部ＦＴが取り付けられる取付部Ｍ２３，Ｍ２４と、が設けられている（図２参照）。なお、取付部Ｍ２３は、上面４２Ａにおける、第１延出部４２２のＸ方向とは反対側の端部に対応する位置に設けられている。また、取付部Ｍ２４は、上面４２Ａにおける、第２延出部４２３のＸ方向とは反対側の端部に対応する位置に、それぞれ設けられている。
このような第２支持部材４２は、第１支持部材４１と同様に、外装筐体２や光学ユニット３の重量による撓みを抑制可能な剛性を有する。
【００３１】
［脚部の構成］
脚部ＦＴは、上記のように、正置き姿勢において、載置面に直に接触することによりプロジェクター１を支える部材である。
この脚部ＦＴは、図３に示すように、外装筐体２の外部に露出し、載置面に対して接触する脚部本体ＦＴ１と、脚部本体ＦＴ１から延出して、支持部材４（第１支持部材４１及び第２支持部材４２）と連結される連結部ＦＴ２と、を有する。なお、本実施形態では、図２に示すように、脚部ＦＴが、上記下面４１Ｂにおける第１延出部４１２及び第２延出部４１３に応じた位置のＸ方向側の端部と、上記下面４２Ｂにおける第１延出部４２２及び第２延出部４２３に応じた位置のＸ方向とは反対側の端部と、にそれぞれ取り付けられる。
【００３２】
連結部ＦＴ２は、図３に示すように、下部筐体２２に形成された貫通孔２２１に挿通され、連結部ＦＴ２のＹ方向側の端部が、外装筐体２内に位置する、第１支持部材４１の取付部Ｍ２１，Ｍ２２、及び、第２支持部材４２の取付部Ｍ２３，Ｍ２４に取り付けられる。
これにより、複数の脚部ＦＴは、第１支持部材４１及び第２支持部材４２に取り付けられ、脚部本体ＦＴ１が、載置面に当接可能に、外装筐体２の外部に露出する。
なお、本実施形態では、４つの脚部ＦＴが、それぞれ、Ｙ方向とは反対側から見た平面視において、プロジェクター１の底面部２Ｂの角部近傍に配置される。このように、上記平面視において、光学ユニット３を囲む矩形領域の角部に相当する位置に脚部ＦＴが設けられる。
【００３３】
［ハンドルの構成］
ハンドルＨＮは、上記のように、プロジェクター１を天井から吊り下げるように設置する場合等、プロジェクター１が持ち上げられる際に、プロジェクター１を支える部材である。
このハンドルＨＮは、図１及び図３に示すように、ハンドル本体ＨＮ１と、ハンドル本体ＨＮ１から延出して、上記支持部材４と連結される連結部ＨＮ２と、を有する。なお、本実施形態では、２つのハンドルＨＮのうち一方が、第１支持部材４１の上面４１Ａに取り付けられ、他方が、第２支持部材４２の上面４２Ａに取り付けられる。
【００３４】
ハンドル本体ＨＮ１は、天吊り設置用の器具（上記取付部材）や、使用者によって保持される部材であり、図１に示すように、外装筐体２の外部に露出している。
連結部ＨＮ２は、ハンドル本体ＨＮ１と、第１支持部材４１及び第２支持部材４２とを連結する。このハンドル本体ＨＮ１は、図３に示すように、上部筐体２１に形成された貫通孔２１１に挿通される。そして、一方のハンドルＨＮの連結部ＨＮ２が、外装筐体２内に位置する第１支持部材４１の上面４１Ａにおける上記取付部Ｍ１１，Ｍ１２に連結され、他方のハンドルＨＮの連結部ＨＮ２が、同じく外装筐体２内に位置する第２支持部材４２の上面４２Ａにおける上記取付部Ｍ１３，Ｍ１４に連結される。
これにより、各ハンドルＨＮが、天面部２Ａ側に露出する状態にて各支持部材４１，４２に取り付けられ、各支持部材４１，４２に対して固定される。
【００３５】
［第１実施形態の効果］
以上説明した本実施形態に係るプロジェクター１によれば、以下の効果がある。
プロジェクター１は、光学ユニット３を支持する支持部材４としての第１支持部材４１及び第２支持部材４２を備え、これら第１支持部材４１及び第２支持部材４２に対して、外装筐体２が取り付けられている。そして、第１支持部材４１及び第２支持部材４２には、脚部ＦＴ及びハンドルＨＮが設けられている。
このような構成では、外装筐体２は、光学ユニット３や、第１支持部材４１及び第２支持部材４２を支持しないことから、これら光学ユニット３や、第１支持部材４１及び第２支持部材４２の重量は、外装筐体２に加わらず、脚部ＦＴ及びハンドルＨＮのいずれかに加わることとなる。これによれば、光学ユニット３の重量によって外装筐体２の撓みの発生を抑制するために、外装筐体２の剛性を増大させる必要がなく、当該剛性の増大に応じた、外装筐体２の重量の増大を抑制できる。従って、外装筐体２の軽量化、ひいては、プロジェクター１の軽量化を図ることができる。
【００３６】
ここで、例えば、支持部材が、平板状に形成されて、外装筐体２における天面部２Ａ側の位置に配置されている場合には、プロジェクター１が載置される載置面と支持部材との間の寸法が大きくなることから、外装筐体２の外に露出する脚部ＦＴを当該支持部材に設けることが困難となる。一方、平板状に形成された支持部材が、外装筐体２における底面部２Ｂ側の位置に配置されている場合にも、天面部２Ａ側に露出するようにハンドルＨＮを設けようとすると、当該ハンドルＨＮの露出位置と支持部材との間の寸法が大きくなることから、当該ハンドルを支持部材に設けることが困難となる。
【００３７】
これに対し、本実施形態では、第１支持部材４１及び第２支持部材４２は、それぞれＹ方向及びＺ方向に沿って配置され、かつ、Ｘ方向に沿って光学ユニット３を挟持している。これによれば、第１支持部材４１及び第２支持部材４２において底面部２Ｂに近い部位に、脚部ＦＴを配置しやすくすることができる。また、当該第１支持部材４１及び第２支持部材４２において天面部２Ａに近い部位に、ハンドルＨＮを配置しやすくすることができる。更に、外装筐体２内における脚部ＦＴ及びハンドルＨＮの寸法を短くすることができるので、これらが長くなる場合に比べて、脚部ＦＴ及びハンドルＨＮの変形の発生を抑制できる。
【００３８】
また、脚部ＦＴは、Ｘ方向の両側から光学ユニット３を挟持するように配置された第１支持部材４１及び第２支持部材４２における、底面部２Ｂ側の面に設けられている。
このような構成では、Ｙ方向とは反対側から見た平面視において、光学ユニット３を囲む位置、例えば、当該光学ユニット３を囲む矩形領域の角部に対応する位置に設けられた取付部Ｍ２１，Ｍ２２，Ｍ２３，Ｍ２４のそれぞれに、脚部ＦＴを取り付けることができる。このように、上記平面視において、光学ユニット３を囲むように配置された脚部ＦＴによって、プロジェクター１を安定的に支持することができる。なお、ハンドルＨＮも、同様に、光学ユニット３を囲むように設けられた取付部Ｍ１１，Ｍ１２，Ｍ１３，Ｍ１４に取り付けることができ、プロジェクター１を安定的に支持することができる。
【００３９】
また、脚部ＦＴは、互い逆方向に延出する、第１支持部材４１の第１延出部４１２と、第２支持部材４２の第１延出部４２２とにおける、それぞれの延出方向の先端部に設けられる。同様に、脚部ＦＴは、第１支持部材４１の第２延出部４１３と、第２支持部材４２の第２延出部４２３とにおける、それぞれの延出方向の先端部に設けられる。
このような構成では、各第１延出部４１２，４２２や各第２延出部４１３，４２３の延出方向（Ｘ方向）の寸法に応じて、Ｙ方向から見た平面視における、脚部ＦＴの取付位置を調整することができる。
例えば、第１支持部材４１の第１延出部４１２と、第２支持部材４２の第１延出部４２２とに設けられた２つの脚部ＦＴ間の距離寸法を大きくすることができる。同様に、各第２延出部４１３，４２３のそれぞれに設けられた２つの脚部ＦＴ間の距離寸法を大きくすることができる。これにより、正置き姿勢において、設置面に対して、プロジェクター１をより安定的に載置できる。
【００４０】
外装筐体２を構成する上部筐体２１と下部筐体２２とは、それぞれ第１支持部材４１及び第２支持部材４２に固定される。これによれば、上部筐体２１と下部筐体２２とのそれぞれに、第１支持部材４１及び第２支持部材４２の重量が加わることを確実に抑制できる。従って、上部筐体２１及び下部筐体２２の軽量化、ひいては、プロジェクター１の軽量化を促進できる。
また、例えば、下部筐体２２が各支持部材４１，４２に固定され、上部筐体２１が下部筐体２２に固定され、下部筐体２２によって支持される構成と比べて、下部筐体２２の剛性を小さくできる。従って、外装筐体２の軽量化、ひいては、プロジェクター１の軽量化を促進できる。
【００４１】
［第２実施形態］
以下、本発明の第２実施形態について説明する。
本実施形態に係るプロジェクターは、上記プロジェクター１と同様の構成を備えるが、外装筐体２における底面部２Ｂ側に配置された１つの支持部材によって、上記光学ユニット３が支持される点で、上記プロジェクター１と相違する。なお、以下の説明では、既に説明した部分と同一又は略同一である部分については説明を省略する。
【００４２】
図４は、本実施形態に係るプロジェクター１Ａの内部構成を模式的に示す断面図である。
本実施形態に係るプロジェクター１Ａは、図４に示すように、支持部材４に代えて支持部材４Ａを有する他は、上記プロジェクター１と同様の構成及び機能を有する。
支持部材４Ａは、板状に形成され、光学ユニット３のＹ方向とは反対側に配置されている。この支持部材４Ａは、光学ユニット３を支持する。また、この支持部材４Ａには、外装筐体２（下部筐体２２）が、ねじＳＣ３によって固定される。また、支持部材４Ａは、外装筐体２や光学ユニット３の重量により撓むことがない程度の剛性を有する。
なお、本実施形態では、外装筐体２を構成する上部筐体２１は、図示を省略するが、下部筐体２２に対して固定されている。
【００４３】
脚部ＦＴは、上記プロジェクター１と同様に、支持部材４ＡにおけるＹ方向とは反対側の面に取り付けられる。
ハンドルＨＮは、上記プロジェクター１と同様に、支持部材４ＡにおけるＹ方向側の面に取り付けられる。なお、本実施形態では、４つの連結部ＨＮ２の変形を抑制するために、外装筐体２の内周面に沿って、２つの連結部ＨＮ２間を接続する梁部を設けてもよい。
【００４４】
［第２実施形態の効果］
以上説明した本実施形態に係るプロジェクター１Ａによれば、第１実施形態に係るプロジェクター１と同様に、プロジェクター１Ａの軽量化を図ることができるほか、以下の効果がある。
光学ユニット３は、支持部材４Ａによって、底面部２Ｂ側で支持される。これによれば、Ｙ方向を鉛直方向の上向きに一致させて使用するような場合に、支持部材４Ａが、光学部品用筐体３６を鉛直方向の下方で支持することとなり、光学部品用筐体３６の撓みを抑制できる。
【００４５】
光学ユニット３は、１つの支持部材４Ａによって支持される。これによれば、光学ユニット３を複数の支持部材によって支持する場合と比べて、支持部の軽量化を図ることができ、ひいてはプロジェクター１Ａの軽量化を図ることができる。
また、光学ユニット３を支持部材４Ａに配置する際に、天面部２Ａ側からＹ方向とは反対方向に向かって配置することができる。従って、第１実施形態のように１対の支持部材４１，４２によって挟持する場合と比べて、各光学部品（光学ユニット３を構成する光学部品）の設置及び位置調整が容易になる。
【００４６】
［実施形態の変形］
本発明は上記各実施形態に限定されるものではなく、本発明の目的を達成できる範囲での変形、改良等は本発明に含まれるものである。
上記第１実施形態では、２つの支持部材４１，４２によって、第２実施形態では１つの支持部材４Ａによって、光学ユニット３を支持するとした。しかしながら、本発明はこれに限らない。例えば、３つ以上の支持部材によって光学ユニット３を支持してもよい。また、支持部材は、断面略Ｕ字状の箱型に構成されてもよい。例えば、第１実施形態におけるＹ方向に沿う各支持部材４１，４２と、第２実施形態におけるＹ方向に交差する支持部材４Ａと、を組み合わせる構成を採用してもよい。この場合、各支持部材を一体的に構成してもよい。
【００４７】
上記第１実施形態では、各支持部材４１，４２は、第１延出部４１２，４２２、及び、第２延出部４１３，４２３を備え、これら各延出部４１２，４１３，４２２，４２３のそれぞれの底面部２Ｂ側に脚部ＦＴが取り付けられるとした。しかしながら、本発明はこれに限らない。例えば、各支持部材４１，４２が、各延出部４１２，４１３，４２２，４２３を有さず、脚部ＦＴが、本体部４１１，４２１に取り付けられてもよい。
また、各支持部材４１，４２は、Ｙ方向に沿って延在する第１の部分と、当該第１の部分のＹ方向における両端部のそれぞれから屈曲する第２の部分と、を有するような屈曲した形状であってもよい。このような構成において、脚部ＦＴやハンドルＨＮは、第２の部分に取り付けられる。このように、各支持部材４１，４２は、適宜、屈曲したり湾曲したりする板状の部材であってもよい。
【００４８】
上記第１実施形態では、ハンドルＨＮは、第１支持部材４１の上面４１Ａ、及び、第２支持部材４２の上面４２Ａに設けられ、脚部ＦＴは、第１支持部材４１の下面４１Ｂ、及び、第２支持部材４２の下面４２Ｂに設けられるとした。また、第２実施形態でも同様に、ハンドルＨＮは、支持部材４Ａの上面に、脚部ＦＴは、支持部材４Ａの下面に、設けられるとした。しかしながら、本発明はこれに限らない。すなわち、脚部ＦＴ及びハンドルＨＮの取付部を、支持部材４，４Ａの任意の位置に設けてもよく、脚部ＦＴ及びハンドルＨＮを、支持部材４，４Ａの任意の位置に取り付けることができる。例えば、脚部ＦＴ及びハンドルＨＮを、支持部材４，４ＡのＸ方向やＺ方向に交差する側面に取り付けてもよい。
【００４９】
上記第１実施形態では、２つの支持部材４１，４２は、それぞれ、Ｙ方向（第１方向）及びＺ方向である投射方向に沿う面を有し、投射方向と直交するＸ方向（第２方向）に沿って光学ユニット３を挟むように配置されていた。しかしながら、本発明はこれに限らない。例えば、投射方向がＺ方向以外の方向を向いてもよい。具体的には、投射方向は、ＹＺ平面に沿う任意の方向に設定されてもよく、Ｙ方向に一致してもよい。また、投射方向は、ＹＺ平面に対して交差するように設定されてもよい。
換言すると、プロジェクター１が正置き姿勢や天吊り姿勢にて設置された際に、支持部材４１，４２が、投射方向に関わらず、水平方向である所定方向における両側から光学ユニット３を挟み、かつ、当該光学ユニット３における上記所定方向に交差する面に沿って配置される構成としてもよい。
【００５０】
上記各実施形態では、ハンドルＨＮが、外装筐体２の天面部２Ａ側に配置されていた。しかしながら、本発明はこれに限らない。例えば、外装筐体２の右側面部２Ｅ及び左側面部２Ｆに貫通孔が形成され、連結部ＨＮ２が、当該貫通孔から外装筐体２の内部に挿入され、ハンドル本体ＨＮ１が、右側面部２Ｅ及び左側面部２Ｆ側に沿って配置されてもよい。
【００５１】
上記第１実施形態では、２つのハンドルＨＮが、第１支持部材４１及び第２支持部材４２のそれぞれに設けられていた。しかしながら、本発明はこれに限らない。すなわち、ハンドルＨＮが、第１支持部材４１及び第２支持部材４２に跨るように取り付けられてもよい。
上記各実施形態では、脚部ＦＴ及びハンドルＨＮの両方を備えるとした。しかしながら、本発明はこれに限らない。例えば、脚部ＦＴのみを備える構成としてもよいし、ハンドルＨＮのみを備える構成としてもよい。
【００５２】
上記各実施形態では、外装筐体２は、上部筐体２１及び下部筐体２２の二つの筐体によって構成されるとした。しかしながら、本発明はこれに限らない。すなわち、外装筐体は、３つ以上の複数の部分筐体によって構成されてもよい。また、外装筐体は、前方と後方との２つの部分筐体によって構成されてもよい。
【００５３】
上記各実施形態では、光源装置３１が、光源部３１Ａ，３１Ｂを備え、これら光源部３１Ａ，３１Ｂが、光源ランプ３１１を有するとした。しかしながら、本発明はこれに限らない。すなわち、上記のように、ＬＥＤやＬＤ等の固体光源を有する構成であってもよく、ＬＤから出射された光を蛍光体に入射させ、当該蛍光体から出射される光を利用する構成であってもよい。
更に、光源装置３１が、２つの光源部３１Ａ，３１Ｂを備えるとしたが、本発明はこれに限らず、１つの光源部を備える構成でもよいし、３つ以上の光源部を備える構成でもよい。
【００５４】
上記各実施形態では、プロジェクター１，１Ａは、光変調装置３４１としての３つの液晶パネルを備えていたが、本発明はこれに限らない。すなわち、２つ以下、あるいは、４つ以上の液晶パネルを用いたプロジェクターにも、本発明を適用可能である。
上記各実施形態では、光学ユニット３における各光学部品の配置位置は、適宜変更可能であり、例えば、平面視略Ｌ字形状を有する構成や、平面視略Ｕ字形状を有する構成を採用してもよい。
上記各実施形態では、光束入射面と光束射出面とが異なる透過型の液晶パネルを有する光変調装置３４１を採用したが、光入射面と光射出面とが同一となる反射型の液晶パネルを有する光変調装置を用いてもよい。
【００５５】
上記各実施形態では、液晶パネルを有する光変調装置３４１を備えたプロジェクター１，１Ａを例示したが、入射光束を画像情報に応じて変調可能な光変調装置であれば、マイクロミラーを用いたデバイス、例えばＤＭＤ（Digital Micromirror Device）等を利用したものなど、液晶以外の光変調装置を用いてもよい。
【符号の説明】
【００５６】
１，１Ａ…プロジェクター、２…外装筐体、２Ａ…天面部、２Ｂ…底面部、３…光学ユニット、４，４Ａ…支持部材、２１…上部筐体（天面部側筐体）、２２…下部筐体（底面部側筐体）、４１…第１支持部材、４２…第２支持部材、ＦＴ…脚部、ＨＮ…ハンドル。
【図１】
0006524672.tif 000002
【図２】
0006524672.tif 000003
【図３】
0006524672.tif 000004
【図４】
0006524672.tif 000005